(57)【要約】      （修正有）【課題】木造住宅における配線・配管空間を確保し、かつ簡易な構成によって重量床衝撃音と軽量床衝撃音の双方を効果的に低減することを可能にする木造住宅用防音床構造を提供する。【解決手段】木造住宅において、床面に遮音性を付与するための防音床構造３であって、床梁４と床梁４の上面に敷設される下地板５で構成されている下側床面１３と、該下側床面１３上に空気層１４を介して、間隔をおいて複数配置される根太部材７と該根太部材７の上面に敷設される床下地板８とで構成される該下側床面１３と独立した上側床面１６、該床面間に配置されるスペーサー材６とによって構成される。【選択図】図１
2005290913.tif 000002
【特許請求の範囲】
【請求項１】
木造住宅において、床面に遮音性を付与するための防音床構造であって、床梁の上面に敷設される下地板による下側床面と、間隔をおいて複数配置される根太部材と該根太部材の上面に敷設される床下地板とで構成される該下側床面と独立した上側床面と、該床面間に配置されるスペーサー材及び吸音材とによって構成されることを特徴とする木造住宅用防音床構造。
【請求項２】
前記上側床面は、前記下側床面と空気層が介在した状態で設けられる請求項１記載の木造住宅用防音床構造。
【請求項３】
前記スペーサー材は木材、ゴム等からなる請求項１又は２に記載の木造住宅用防音床構造。
【請求項４】
前記吸音材は繊維系吸音体である請求項１〜３のいずれかに記載の木造住宅用防音床構造
【発明の詳細な説明】
【技術分野】
【０００１】
本発明は木造住宅における上階から下階に伝搬する音や振動を効果的に抑制することの出来る防音構造に関するものである。
【背景技術】
【０００２】
住宅内で発生する騒音（衝撃音）には、例えば、子供の飛び跳ねや走り回り等による重くて柔らかいものの衝撃による重量床衝撃音や、ハイヒールの歩行や家具の移動或いはテーブルから落下したスプーンの落下音等による比較的軽くて硬いものの衝撃による軽量床衝撃音や、テレビや話声等の空気中を伝搬する空気伝搬音があり、特に２階以上の複数階を有する建物においては、上階で生じるこれら床衝撃音が下階に伝達されることによる弊害を回避できるように種々の工夫がなされる必要がある。
【０００３】
鉄筋コンクリート造等の重量建築物では、上下階の間に重量物であるコンクリートによる床を敷設することが容易であり、コンクリートの床を厚くすることや、また緩衝材を組み込んだ床構成とすることで十分な遮音性能を確保することが可能である。
【発明の開示】
【発明が解決しようとする課題】
【０００４】
しかし、例えば木造住宅等の軽量建築物に重量物、例えばコンクリート板などを敷設することは、従来と異なる特殊工程となるために施工コストが嵩む上、床面のみの重量物では梁や柱を伝播する振動音を解消しにくいという欠点がある。
【０００５】
また、上階室の床構造の剛性を高めて衝撃の発生自体を抑えるので構造上過剰設計となり、コストが増大するという問題があり、更には重量床衝撃音に対しては防音効果があるが、軽量床衝撃音に対しては十分な防音効果が得られないという問題がある。
【０００６】
したがって、このような木造住宅では緩衝材や吸音材を組み合わせた様々な床構造が開発され、振動音を解消することが試みられているが、重量床衝撃音と軽量床衝撃音の双方を効果的に低減する床構造として有効な手段とは成り得ていない。
【０００７】
また、このような床衝撃音を低減する手段として天井空間が効果的な役割を果たしているが、床衝撃音の低減の他に各種配線・配管等の隠蔽空間としての役割も果たしている。
【０００８】
しかし、この天井は下階の用途に応じて様々な高さで設置されるものであるため、その用途によっては床梁との間隔が各種配線・配管を設置するには不十分となる可能性がある。
【０００９】
さらに、床梁やその直上の下地板を下階の天井板によって覆うことなく露出させることにより、下階に木質感に富んだ趣のある居室空間を形成することが可能となるが、この場合は各種配線・配管の隠蔽空間が確保できなくなることになる。
【課題を解決するための手段】
【００１０】
本発明は、床梁の上面に敷設される床面と、該床面上に該床面と独立した上階室床面を設置することを特徴とする木造住宅用防音床構造を提供することにより、重量床衝撃音と軽量床衝撃音の双方を効果的に低減し、かつ配線や配管等の隠蔽空間を確実に確保することを可能にすることを目的とする。
【００１１】
上記構成において、上階室床面に入力される衝撃振動は、該床構造体中を伝搬して下階室の天井や壁から音として放射される。その大部分の振動は上階室の床面垂直下方に伝搬するが、下階室の天井部との間には該床面と独立した床面及び下階室の天井が存在するため、上階室からの振動が該上階室の床面から下階室の天井部へ伝搬して発生する放射音は十分に抑制される。
【発明の効果】
【００１２】
本発明の木造住宅用防音床構造によれば、木造住宅における配線・配管空間を確保し、簡易な構成によって重量床衝撃音と軽量床衝撃音の双方を効果的に低減することができる。
【発明を実施するための最良の形態】
【００１３】
以下本発明の好ましい実施形態を詳細に説明する。図１に示す本発明の第１実施形態に係る木造住宅用防音床構造３は、例えば２階以上の複数階を有する木造住宅において、一例として床梁の上面に敷設される下側床面１３と該下側床面１３上に該下側床面１３と独立した上側床面１６を設置することで、該床構造に遮音性能を付与して、上階２で生じる重量床衝撃音や軽量床衝撃音が下階１に伝達されることによる弊害を効果的に回避すべく設けられるものである。
【００１４】
本第１実施形態の木造住宅用防音床構造３の下側床面１３は、床梁４と床梁４の上面に敷設される下地板５で構成されている。
【００１５】
また、本第１実施形態の木造住宅用防音床構造３の上側床面１６は、根太部材７と根太部材７の上面に敷設される床下地板８とによって構成されており、床下地板８の上面には床化粧材９が敷設されている。
【００１６】
なお、下側床面１３と上側床面１６の間には空気層１４が生じているため、下側床面１３と上側床面１６の間には必要に応じてスペーサー材６や吸音材１２を設置することが可能である。
【００１７】
本第１実施形態によれば、床梁４は、例えば幅１０５〜１２０ｍｍ程度、高さ２１０〜３３０ｍｍ程度の矩形断面を有する角材からなる木製梁部材であって、例えば壁１０の内部に設けられる柱等で両端を支持され架設された主梁にその両端が支持されることにより、上階２の床面１６の下方に位置して複数平行に架設される。なお、隣接する床梁４の間、或いは床梁４と主梁との間に架設されて、これらと直行する方向に根太１１を適宜設けることができる。
【００１８】
下側床面１３に敷設される下地板５は、例えば厚さ１２〜３５ｍｍ程度の合板からなり、上階２の床面１６が設けられる領域の下方全域に亘って取り付けられる。
【００１９】
下側床面１３の上面に敷設される吸音材１２は、例えばグラスウールを用いることができ、好ましくは下側床面１３の上面の略全域を覆って設けられ、床構造３の中に吸音材１２が組み込まれていることによって、床衝撃音を効果的に低減することが可能になる。
【００２０】
吸音材１２としては、グラスウールの他、例えばロックウール等を用いることができる。
【００２１】
上側床面１６は、間隔をおいて複数配置される根太部材７と根太部材７の上に敷設される下地板８で構成される。
【００２２】
根太部材７は、４角形断面を有する棒状部材からなり、下地板８の下面に互いに平行に配置される。
【００２３】
根太部材７の上面に敷設される床下地板８は、例えば厚さ１５〜３０ｍｍ程度の合板やパーティクルボードからなり、上階２の床面１６が設けられる領域の下方全域に亘って取り付けられる。
【００２４】
床下地板８の上面には、床化粧材９が敷設されており、木質床材、畳、カーペット等の床用の化粧材として用いられる種々のものを用いることができる。
【００２５】
本第1実施形態によれば、下側床面１３と上側床面１６の間には、スペーサー材６が介在し、スペーサー材６としては、例えば木材、ゴム等からなるものを使用することができる。
【００２６】
スペーサー材６が下側床面１３と上側床面１６の間に介在することにより、上側床面１６から下側床面１３及び建物躯体への振動の伝播経路を遮断することが可能になる。
【００２７】
また、スペーサー材６により下側床面１３と上側床面１６の間には空気層１４が確保されるため、空気層１４内を使用することで、配線・配管空間が確保される。
【００２８】
なお、本発明は上記実施形態に限定されることなく種々の変更が可能である。
【００２９】
例えば、下側床面１３上には積層物２０として、合板やプラスターボード等を用いることができ、また、上側床面１６の床下地板８上には質量層２１として合板やプラスターボード、遮音マット等を挿入することができる。
【００３０】
なお、本発明は、下階天井材１７の有無に関わらず、例えば下階の天井材１７を取り除き、床梁４上に配置される床下地板５を下階に露出させて下階の天井材を兼ねる床構造としても、上階からの衝撃音を低減することは可能である。
【実施例１】
【００３１】
以下、本発明の木造住宅用防音床構造をさらに詳細に説明するが、本発明はこれに限定されるものではない。
【００３２】
上記第１実施形態の木造住宅用防音床構造１９をＪＩＳ Ａ １４１８−１及びＪＩＳ Ａ １４１８−２に従って、重量床衝撃音レベル及び軽量床衝撃音レベルを各々測定した。測定結果を図５（ａ）及び（ｂ）に示す。
【００３３】
図４に示すように、床梁４の上方に下側下地板５を取り付け、下側下地板５の上面に厚さ１２．５ｍｍのプラスターボード２０を敷設したうえで床化粧材９を敷設した木造住宅用床構造２９をＪＩＳ Ａ １４１８−１及びＪＩＳ Ａ １４１８−２に従って、重量床衝撃音レベル及び軽量床衝撃音レベルを各々測定した。
【００３４】
木造住宅用防音床構造１９の測定結果と木造住宅用床構造２９の測定結果を図５（ａ）及び（ｂ）に比較して示す。
【００３５】
図５（ａ）及び（ｂ）に示す測定結果から、本発明に係る木造住宅用防音床構造によれば、重量床衝撃音と軽量床衝撃音の双方を効果的に低減できることが判明する。
【産業上の利用可能性】
【００３６】
本発明は木造住宅における防音床構造に関する。
【図面の簡単な説明】
【００３７】
【図１】本発明の第１実施形態に係る木造住宅用防音床構造の構成を説明する部分断面図である。
【図２】本発明の第２実施形態に係る木造住宅用防音床構造の構成を説明する部分断面図である。
【図３】本発明の第３実施形態に係る木造住宅用防音床構造の構成を説明する部分断面図である。
【図４】木造住宅用床構造の構成を説明する部分断面図である。
【図５】（ａ）及び（ｂ）は重量床衝撃音と軽量床衝撃音の測定結果を示すグラフである。
【符号の説明】
【００３８】
１    １階の部屋
２    ２階の部屋
３，１９    木造住宅用防音床構造
４    床梁
５    下地板
６    スペーサー材
７    根太部材
８    床下地板
９    床化粧材
１０    柱
１１    根太
１２    吸音材
１３    下側床面
１４    空気層
１５    上部積層面
１６    上側床面
１７    天井材
２０    積層物
２１    質量層
２９    木造住宅用床構造
【図１】
2005290913.tif 000003
【図２】
2005290913.tif 000004
【図３】
2005290913.tif 000005
【図４】
2005290913.tif 000006
【図５】
2005290913.tif 000007